(57)【要約】      （修正有）【課題】飲食と発声を繰り返す会食やイベントなどにおいて、口及び鼻を覆った状態と覆っていない状態を容易に切替えることができるマスクを提供する。【解決手段】鼻と口とを覆うためのマスク本体部２と、前記マスク本体部が鼻と口を覆っている状態においては、両端を前記マスク本体部の左右に取付けられ、使用者の耳の上を通過して後頭部又は首にまわして掛けるための一本のバンド部３と、を備える。前記マスク本体部は、その前側において、前記マスク本体部の素材であるシートの右半部と左半部２ｂを結合した結合部５を備え、前記バンド部を首にかけて耳の下を通過させて、前記マスク本体部を使用者の顎より下方に位置させたとき、前記結合部により、前記右半部と前記左半部とが近接しようとする力が働き、マスク本体部が閉じようとする。【選択図】図２
0003233581.tif 000002
【実用新案登録請求の範囲】
【請求項１】
使用者の鼻と口とを覆うためのマスク本体部と、
前記マスク本体部が鼻と口を覆っている状態においては、両端を前記マスク本体部の左右に取付けられ、使用者の耳の上を通過して後頭部又は首にまわして掛けるための一本のバンド部と、
を備えたマスクであって、
前記マスク本体部は、その前側において、前記マスク本体部の素材であるシートの右半部と左半部を結合した結合部を備え、
前記バンド部を首にかけて耳の下を通過させて、前記マスク本体部を使用者の顎より下方に位置させたとき、前記結合部により、前記右半部と前記左半部とが近接しようとする力が働き、マスク本体部が閉じようとする
ことを特徴とするマスク。
【請求項２】
前記バンド部は、伸縮性のある素材を備え、張力を与えない状態で３０ｃｍ以上６０ｃｍ以下であることを特徴とする請求項１に記載のマスク。
【請求項３】
前記バンド部には、長さ調節のためのバンド留め具を備える
ことを特徴とする請求項１又は請求項２に記載のマスク。
【請求項４】
前記マスク本体部の前記結合部から突出する位置に設けられる、手持ち用の突出部を備えた
ことを特徴とした請求項１から請求項３のいずれか１項に記載のマスク。
【考案の詳細な説明】
【技術分野】
【０００１】
本考案は、飛沫を防止するためのマスクに関する。
【背景技術】
【０００２】
従来から感染症の予防策として、飛沫を飛散させるようにマスクが用いられる。近年においては新型コロナウイルスの蔓延防止の要請が高まっており、マスクが重要な役割を担っていることが認識されている。しかしながら、人が集まって飲食を伴う会食やイベントなどの場合は、マスクをしながらの飲食と会話における発声を両立させることが課題となる。なぜなら、会食等の際には、会話のための発声をする際には飛沫が飛散しないように口の前にマスクがあることが要求され、飲食の際には、マスクを除けて口に飲食物を運ばなくてはならないにもかかわらず、発声と飲食を繰り返す必要があるためである。これが会食やイベント等におけるマスクの着用率を低下させていると考えられる。
【０００３】
このような課題を解決すべく、飲食と発声を両立させるマスクとして、例えば特許文献１において口鼻前シールドマスクが開示されている。この口鼻前シールドマスクは、あご側（下側）にいくにしたがって末広がりに形成されており、使用者の口からある程度距離を確保したマスク本体と、使用者の耳の上を通過しつつ後頭部付近に掛ける一本のリボン状のマスク支えから構成され、マスク本体と口の距離が開いているため、装着時に飲食が可能であり、それと同時に、口と鼻の前がマスク本体によって覆われている。このため、飲食をしつつ、使用者がイベントにおける応援などのために発声をしても飛沫が飛散することを抑制することが可能である。また、飲食と発声を両立させる別の手段として、例えば、特許文献２にはマスク留めストラップが開示されている。このマスク留めストラップは、首に掛けるためのコードと、そのコードの両端に設けられる取付金具を備え、その取付金具をマスクの耳掛け紐に係止することによって、飲食の際にはマスクを首から掛けることが可能となり、発声の際にはマスク留めストラップを介して首から掛けているマスクを、装着することを可能としたものである。このようなマスク留めストラップを採用することにより、マスクを取り外しても、マスク留めストラップによって首からマスクがぶら下がるため、マスクのテーブルの上に置く必要がないから衛生面に問題が生じることが少なくなる。また、発声の際に外したマスクをどこかに置くことや、別途マスクケースを用意する必要もない、という効果がある。
【先行技術文献】
【特許文献】
【０００４】
【特許文献１】実用新案登録第３２２８３０４号公報
【特許文献２】実用新案登録第３２３０６４６号公報
【考案の概要】
【考案が解決しようとする課題】
【０００５】
しかし、特許文献１のマスクではマスク本体の下側は開口しており、カバーされないことから、発声の際に下方への飛沫の飛散を防止することができない。このため、下方が開いていないマスクよりも飛沫の飛散を抑制する機能が劣る。
また、特許文献２のマスクではマスクとは別途にマスクのストラップを用意することになり、通常のマスクよりも物品の数が増えて製造費用が増すという問題がある。また、飲食においては飲食物がマスクの内側の面に付着することがある。このため、特許文献２のマスク留め用ストラップを用いてマスクを首からぶら下げると、マスクの内側面と使用者の服の胸元が近づいて接触するおそれがあるため、マスク内側面に付いた飲食物が服に移ってしまったり、マスクが裏返って内側面が前方に露出して汚れが他人に見えてしまうという問題がある。
【０００６】
本考案は、上記問題点に鑑み、飲食中に首に掛けることが可能であって、着脱のわずらわしさがなく、マスクの内側面が外部へ露出しにくいマスクを提供することを目的とする。
【課題を解決するための手段】
【０００７】
（１）本考案によるマスクの第一の態様は、
使用者の鼻と口とを覆うためのマスク本体部と、
前記マスク本体部が鼻と口を覆っている状態においては、両端を前記マスク本体部の左右に取付けられ、使用者の耳の上を通過して後頭部又は首にまわして掛けるための一本のバンド部と、
を備えたマスクであって、
前記マスク本体部は、その前側において、前記マスク本体部の素材であるシートの右半部と左半部を結合した結合部を備え、
前記バンド部を首にかけて耳の下を通過させて、前記マスク本体部を使用者の顎より下方に位置させたとき、前記結合部により、前記右半部と前記左半部とが近接しようとする力が働き、マスク本体部が閉じようとする
ことを特徴とする。
【０００８】
この態様においては、バンド部は、前記マスク本体部が鼻と口を覆っている状態においては、バンド部の両端が前記マスク本体部の左右に取付けられ、使用者の耳の上を通過して後頭部又は首にまわして掛けるためものであるので、飲食の際には、バンド部を耳より下に下げ、マスク本体部を口の前から除けて顎の下に吊り下げることができる。このため、マスク本体部が口と鼻を覆う状態と、マスクを口の前から除けて顎の下に吊下げる状態の切替え動作を容易にすることができる。従って、マスク本体部を鼻と口を覆う状態と覆わない状態を変えるためのマスクの着脱のわずらわしさがない。このため、飲食と会話のための発声の両立が容易となる。また、マスク本体部が顎の下に吊り下げられている状態においては、前記結合部により、前記右半部と前記左半部とが近接しようとする力が働き、マスク本体部が閉じようとする。従って、飲食の際にマスク本体部の内側面に飲食物が付着しても、それが外部から見えて汚い印象を与えることを防止することができる。また、マスク本体部の内側面が服等の他のものに触れる機会がないため、衛生的である。
【０００９】
（２）また、本考案によるマスクの第二の態様においては、
前記バンド部は、伸縮性のある素材を備え、張力を与えない状態で３０ｃｍ以上６０ｃｍ以下である。
【００１０】
バンド部をこのような長さにすれば、マスク本体部が使用者の鼻と口を覆っている状態においては、両端が前記マスク本体部の左右に取付けられたバンド部を、耳の上を通過して後頭部の下又は首にまわして掛けることが可能である。また、バンド部を使用者の耳の上を通過して後頭部の下の首にまわして掛けられれば、使用者の首周りに相当する長さより長くなるため、マスク本体部を顎より下方に吊り下げたとき、マスク本体部は閉じてペンダントのブローチのようにぶら下がることができる。このため、マスク本体部を顎より下に吊り下げたときに、見た目が良好となる。
【００１１】
（３）本考案によるマスクの第三の態様は、前記バンド部は、長さ調節のためのバンド留め具をさらに備える。
【００１２】
この態様によれば、バンド部の長さを使用者が変更できるため、体格及び飲食時か発声時かの状態に応じて長さを伸縮することができ、適切な長さにして使用することができる。
【００１３】
（４）また、本考案によるマスクの第四の態様は、上記マスクの各態様において、前記マスク本体部の前記結合部から突出する位置に設けられる、手持ち用の突出部を備えるものである。
【００１４】
このように手持ち用の突出部を設けることで、指でマスクをつまむことができ、マスク本体部を吊り下げた状態からマスク本体部が口と鼻を覆った状態への変更が容易になる。また、マスク本体部が独特の意匠であるので、イベントや会食用のマスクであることを視認しやすくすることができ、飲食店やイベント会場受付などで配布すれば、この会場ではマスクが推奨されていることを伝えることができ、マスク着用率を向上させることができる。
【考案の効果】
【００１５】
本考案によれば、マスク本体部が口と鼻を覆った状態と、マスク本体部が顎の下に位置する状態との切替え動作を容易にすることができる。すなわち、マスク本体部を鼻と口を覆う状態と覆わない状態を変更する場合におけるマスクの着脱のわずらわしさがない。従って、使用者の飲食と発声の両立を容易にさせることができる。また、結合部によりマスク本体部が閉じようとする力が働くので、マスク本体部を顎より下に吊り下げたときに、マスク本体部が閉じようとするため、飲食の際にマスク本体部の内側面に飲食物が付着しても、それが外部から見えて汚い印象を与えることを抑制できる。
【図面の簡単な説明】
【００１６】
【図１】本考案による一実施の形態のマスクを装着してマスク本体部が口鼻を覆った状態を示す図である。
【図２】本考案による一実施の形態のマスクを首から吊下げて、マスク本体部を顎よりも下に吊り下げた状態を示す図である。
【図３】図２のマスクを装着してマスク本体部を顎よりも下に吊り下げた状態を正面から見た図である。
【図４】本考案による一実施の形態のマスクの開いた状態を示す正面図である。
【図５】本考案による一実施の形態のマスクの開いた状態を示す背面図である。
【図６】本考案による一実施の形態のマスクの閉じた状態を示す側面図である。
【図７】本考案による一実施の形態のマスクの閉じた状態を示す背面図である。
【図８】マスク本体部を構成するシートを示す図である。
【図９】図５のＡ−Ａ‘の断面を示す図である。
【図１０】マスク本体部を構成するシートの別の例を示す図である。
【図１１】本考案のマスクの他の実施の形態の側面図である。
【図１２】本考案のマスクの他の実施の形態の側面図である。
【考案を実施するための形態】
【００１７】
図１は、本考案の一実施の形態のマスクを使用者が装着して口及び鼻を覆った状態を示す図である。マスク１は、マスク本体部２と、使用者３０の後頭部又は首に掛けるためのバンド部３を備える。マスク本体部２は、使用者３０の口及び鼻を覆うための形状をなす。バンド部３は、その両端の取付部４をマスク本体部の２の左右に圧着（熱融着、接着剤又は縫合などによって取付けてもよい）することにより、マスク本体部２に取り付けられる。マスク本体部２は、その素材のシートを重ねて右半部２ａと左半部２ｂとを溶着した結合部５を備える。バンド部３は、伸縮性を持つリボン状の平ゴムからなる。マスク本体部２で使用者３０の口及び鼻を覆う時は、バンド部３は、使用者３０の耳３１の上を通過して、後頭部又は首３２に掛ける。
【００１８】
図２及び図３は、マスク１を使用者３０の口から外し、首３２に掛けた状態で、吊り下げた状態を示す図である。この吊下げ状態においては、バンド部３が耳３１の下を通過し、マスク本体部２が顎よりも下に移動している。このとき、マスク本体部２は、閉じている。また、マスク本体部２の左側又は右側の一方を前にするように指で押すなどして回転させると、図３のように、正面からマスク本体部の内側面は隠れる。また、図３のマスク本体部２の側面が使用者３０の正面を向いた状態においては、マスク本体部２は、結合部５によって右半部２ａと左半部２ｂとが近接する力が働くため、マスク本体部２が閉じた状態、即ち、右半部２ａと左半部２ｂとが近接した状態を持続することができる。
【００１９】
本考案のマスクの実施形態の構造について説明する。図４は、本考案のマスクの一実施の形態の開いた状態、即ち顔を覆ったときの状態を示す正面図である。また図５はその背面図である。また、図６がマスク１のマスク本体部２を閉じた状態の側面図、図７がマスク本体部２を閉じた状態の背面図である。これらの実施形態においては、前述の図１−３の実施形態とマスク本体部２、取付部４及びバンド部３の構造は同様であり、更にバンド部３に長さ調節のためのバンド留め具７を備える。
【００２０】
前述の実施形態と同様に、マスク１は、マスク本体部２と、取付部４を介してマスク本体部２に取り付けられるバンド部３とを備える。
【００２１】
マスク本体部２は、口及び鼻を覆うように、前方に向かって狭く、後方に行くに従って広くなるように形成されている。また、図４に示すとおり、マスク本体部２の左右方向における中央側には、結合部５が設けられる。図６の側面図に示すとおり、結合部５は、マスク本体部２の中央側結合部５ａと下側結合部５ｂを備える。図６に示すとおり、結合部５の上に連続して傾斜部６が設けられる。
【００２２】
マスク本体部２の製造について説明する。図８はマスク本体部２の素材のシート（布）２８である。このシート２８は不織布及びフィルタのいずれか又は両方を複数枚重ねて、型抜きと型押しによって成形したもので、縁取りのような形で圧着部１１によって結合されている。なお、圧着部１１は、点線状にスポットで圧着を連続して行うことにより、結合部５のように帯状に形成するよりも柔らかく構成している。不織布又はフィルタを複数枚重ねることで、飛沫の飛散防止も含めてフィルタ能力の機能を向上させることと、図８のとおり、シート２８は右半部２ａと左半部２ｂによって左右対称をなし、このシート２８の中央の傾斜部６に相当する部分を折り曲げて、中段の端辺２１ａと２１ｂ、及び下段の端辺２２ａと２２ｂがそれぞれ接合されて、図４の正面視の左右方向における中心部に、傾斜部６、中央側結合部５ａ及び下側結合部５ｂ（図６参照）が形成される。このようにして、マスク本体部２は、左右対称に形成される。
【００２３】
図６のＡ−Ａ’断面図である図９のとおり、結合部５を構成する中央側結合部５ａは、シート２８の端部を帯状に重ね合わせて接合したものである。なお、結合部５の接合手段は、たとえば熱融着、圧着、接着剤による接着、縫製などいかなる方法により達成されてもよい。
【００２４】
長さの調節のためのバンド留め具７は、樹脂製であり、内部の穴７ａ（図６参照）にバンド部３のバンドを二本同時に挟みながら挿通させて、その摩擦抵抗によって、バンド部３の移動を留め、バンド部３の前側の長さを調節するものである。このバンド留め具７によって、使用者３０は体や状況に応じて長さを調節することができる。従って、マスクもバンド部３を長めに作っておけば、サイズ別に製造する必要がなく、製品バリエーションを減らすことができるため、製造コストの削減につながる。
【００２５】
本実施形態のマスクにおいては、バンド部３を一本にしたため、図１のマスク本体部２で口及び鼻を覆ったカバー状態から、図２のマスク本体部２を首から掛けて顎より下に吊下げた吊下げ状態に移行が容易にできる。例えば、耳３１の上にあるバンド部を両手の指で摘んで持ち上げてから、耳の下に運び、その指をマスク本体部側にスライドさせてゆく、という２つの動作でカバー状態から吊下げ状態にできる。このため、カバー状態から吊下げ状態への切り替えが容易である。また、その逆にマスク本体部２の吊下げ状態からカバー状態への移行も容易となる。例えば、吊下げ状態から、バンド部３の取付部４の周辺を両手の指で摘み口の両脇に運び、そのまま指をバンド部３の後方にスライドさせて耳３１の上に運ぶ、という２つの動作で吊下げ状態からカバー状態への移行もできる。なお、マスク本体部２の先端を一方の指でつまみ、口の前まで持ち上げ、その後バンド部３を左右の耳３１の上に上げて掛けてもよい。
【００２６】
このように、カバー状態と吊下げ状態への切替えが容易なため、飲食物を口に運ぶために、口の前からマスク本体部２をよける吊下げ状態と、会話などの発声をする際には口及び鼻を覆ったカバー状態との切替えが容易である。このためマスクの着脱のわずらわしさがないので、会食や飲食を伴うイベントのように、飲食と発声を交互に繰り返さなくてはならない場面でも、使用者３０が苦痛とならず、飲食と発声を容易に両立させることが可能となる。
【００２７】
また、本実施形態のマスク１は、マスク本体部２をその前側において、素材のシート２８の一部を結合した結合部５を備えて形成したため、前述のとおり、マスクを閉じようとする力、即ち前記右半部２ａと前記左半部２ｂとが近接しようとする力が働く。このため、マスク本体部２が顎より下方に吊下げた状態のときに、マスク本体部２の外側面２４のみが見え、内側面２５（図５参照）が外部から見えにくくなり、飲食の際にマスクの内側面２５に飲食物が付着してもその付着物が見えて不潔な印象を与えることを防止できる。また、マスク本体部２の内側面２５と服などの他のものとが接することも防止されるため、内側面２５に飲食物が付着しても服等の他のものが汚れることがなく、衛生的である。このため、清潔さが求められる式典などのフォーマルな場面において特に好適に使用することができる。
【００２８】
また、バンド部３の長さは図１のように耳の上を通過させて首の後ろに掛けるためのものであるため、この長さは、首周りよりも長いことから、吊下げ状態においては、指で多少の力を入れるだけで図２及び図３のようにマスク本体部２を閉じてペンダントのように吊下げることができる。また、吊下げ状態で閉じたマスク本体部２は、前述の結合部５とマスク本体部２の自重によって閉じた状態を維持することができる。
【００２９】
伸縮性のある平ゴム紐からなるバンド部３の張力がかかっていないときの長さは、想定される使用者のサイズに応じて設定する。バンド部３の長さは、張力がかかっていないとき首周りより長いことが好ましいので、バンド留め具７を設けない場合には、想定される体格に応じて選択することになるが、女性用で３０ｃｍ以上５５ｃｍ以下であり、男性用で３５ｃｍ以上６０ｃｍ以下が好ましい。即ち、３０ｃｍ以上６０ｃｍ以下が好ましい。ゴム紐によってほとんどの体格に対応できる３５ｃｍ以上５５ｃｍ以下が更に好ましい。適切なゴムの張力を得るため、更に好ましくは４０ｃｍ以上５０ｃｍ以下である。バンド留め具７を設ける場合には、バンド部の長さは、比較的長めの４５ｃｍ以上５５ｃｍ以下に設定し、バンド留め具７により使用者３０によって調整できるようにすることが好ましい。
【００３０】
使用者との関係においてバンド部３の最も好ましい長さは、図１のようにマスク本体部２で口及び鼻を覆うように顔にフィットさせて被せた状態のときに、バンド部３が耳３１の上を通過し、首３２の後部にかかっているときに、使用者３０が張力をもっとも弱く感じる程度の長さである。このような長さであれば、使用者３０が受けるバンド部３による締め付けによる負担が少ない。また、このようなバンド部３の長さであれば、バンド部３を両手で耳３１の上から外して、耳３１の下に移動させれば、マスク本体部２は自重により首から下に吊下げられ、指で軽くマスク本体部２を押すなどして力を加えれば、図２及び図３のようなペンダントのブローチのような状態となる。
【００３１】
また、傾斜部６を、シート２８を折り曲げることにより形成したことにより、傾斜部６は、カーブを形成するため、結合部５のように張り合わせるよりも、使用者３０の鼻との接する面積が大きくなる。このため、傾斜部６により摩擦抵抗が大きくなり、マスク本体部２を外れにくくすることができる。
【００３２】
本考案のマスクの他の実施形態を図１１に示す。図１１のマスク本体部４３の素材のシートを図１０に示す。これ以降の実施形態においては、上述の実施形態と同じ機能の箇所については同じ符号を付して説明を省略する。図１０の例においては、左右対称であって分離しているシート４０とシート４１からマスク本体部４３を形成する。図１０のシート４０とシート４１において、上段の端辺４０ａと上段の端辺４１ａ、中段の端辺４０ｂと中段の端辺４１ｂと、下段の端辺４０ｃと下段の端辺４１ｃとを重ね合わせて接合し、図１１のとおり、それぞれ上段結合部４５ａ、中段結合部４５ｂ及び下段結合部４５ｃをなし、これらによって結合部４５が構成される。接合手段は、前述の実施形態における結合部５と同様であり、シート４０とシート４１の一部を重ねて圧着等により接合する。
【００３３】
このように、結合部４５がマスク本体部４３の上から下までにわたって形成されても、前述の帯状の結合部４５があるため、マスク１ｂにおいて、右半部２ａと左半部２ｂが近接しようとする力、即ちマスク本体部４３が閉じようとする力が働く。これにより、マスク本体部４３は首から吊下げた状態においては、指で簡単に押すだけで閉じ、マスク本体部４３の外側面２４ｘのみが外部から見え、マスク本体部４３の内側面は外部から見えにくくなる。従って、飲食の際に内側面に飲食物が付着してもその付着物が外部から視認されることが防止できる。
【００３４】
なお、本実施形態における結合部４５の各部（上段結合部４５ａ、中段結合部４５ｂ及び下段結合部４５ｃ）は、３つの直線からなるものを記載したが、これらの形状は曲線でもよいし、２つ又は４つ以上の直線からなるものでもよい。前述の実施形態の結合部５についても、同様に、側面視（図６参照）における形状は曲線等でもよい。
【００３５】
図１２に本考案のマスクの他の実施形態を示す。図１２のマスク１ｃは、マスク本体部２の前部の結合部の前方に突出した手持ち用の突出部９を備える。この突出部は、結合部５ａと同様に、図８のシート２８の中段の端辺２１ａ及び中段の端辺２１ｂに相当する部分に突出した部分を設けて、互いに接合して形成する。その突出部９の厚さは結合部５ａと同様である。使用者は手の指で突出部９をつまむことによって、突出部９と指との接触面積が大きいため、マスク本体部２を簡単に持ち上げることができる。また、マスク１ｃは突出部９によって独特の意匠（外観）であることから、特別な用途をもったマスクであるとの印象を与えやすく、会食やイベントで配布することで、飲食と発声を両立させるためのマスクとして認識されやすくなる。このため、マスクを使用しやすい雰囲気づくりができ、会場でのマスク使用率を上げることができる。
【００３６】
この突出部９は、側面から見たとき、傾斜部６の延長線Ｅよりも後側に位置することが好ましい。延長線Ｅより後ろ側にあることで、使用者３０の視線において、傾斜部６より下に位置することから目立たなくなり、見た目の違和感を抑制することができる。
【００３７】
本考案を実施する場合、取付部４の高さは、マスク全体の上寄り、即ち、高さ方向における中央付近よりも上の方が好ましい。鼻付近と当接するマスク上部に力を伝達しなければ、マスク本体部２の上部が顔から離れやすくなり、密着のためにバンド部３を強くしめる必要が生じるためである。また、バンド部３の素材は伸縮性のあるゴム紐が好ましいが、伸縮性のない紐を用いて、長さの調節はバンド留め具７によって適宜行ってもよい。
【００３８】
その他、本考案を実施する場合、本考案の要旨を逸脱しない範囲において、種々の変更、付加を行なうことができる。
【符号の説明】
【００３９】
１，１ｂ，１ｃ  マスク
２  マスク本体部
２ａ  右半部
２ｂ  左半部
３  バンド部
４  取付部
５  結合部
６  傾斜部
７  バンド留め具
【図１】
0003233581.tif 000003
【図２】
0003233581.tif 000004
【図３】
0003233581.tif 000005
【図４】
0003233581.tif 000006
【図５】
0003233581.tif 000007
【図６】
0003233581.tif 000008
【図７】
0003233581.tif 000009
【図８】
0003233581.tif 000010
【図９】
0003233581.tif 000011
【図１０】
0003233581.tif 000012
【図１１】
0003233581.tif 000013
【図１２】
0003233581.tif 000014